(57)【特許請求の範囲】
【請求項１】
複数の二つ折りされた方形のペーパータオルを、折り返し片の縁が隣接するペーパータオルの折り返し内面に位置するようにして互い違いに重なり合うように積層した、略直六面体形状のペーパータオル束を内部に収納するケース本体と、このケース本体に設けられたペーパータオルを一枚ずつ引き出すための取出口と、前記ケース本体を卓上型とする台座部とを有する卓上型ペーパータオル用ディスペンサーにおいて、
ケース本体の前面部分を構成する前板部に取出口を形成し、その前板部を前傾に傾斜させ、かつ、ケース本体内部のペーパータオル束の折り返し縁が並ぶ面が載置される載置面を背面側から前面側に向って下り傾斜させて、前記前板部の内面にペーパータオルの引出し側面が当接するようにするとともに、
載置面に対して自由であり、前記載置面に載置されたペーパータオル束の背面側面に凭れて自重により前記背面側面を押さえ、かつ取出口からのペーパータオルの引出しに伴うペーパータオル束の厚みの低下に伴って、前記載置面の傾斜と自重とにより、前記背面側面に対する押接状態を維持しつつ前板部側に載置面上を移動して、前記ペーパータオル束の引出し側面の前板部内面への当接状態を維持させる押え板を設け、
前記ケース本体が、前記載置面に平行な天面を有し、そのケース本体の前記ペーパータオル束の引出し側面が当接する前板部内面と、前記載置面の少なくとも前記前板部側と、前記天面の前板部側に滑り止め部が配されている、ことを特徴とする卓上型ペーパータオルディスペンサー。
【請求項２】
載置面に配された滑り止め部は、前板部側から背面側に１５ｍｍ以上配されている、請求項１記載の卓上型ペーパータオル用ディスペンサー。
【請求項３】
前記ケース本体の少なくとも一部にケース本体内部を外部から視認可能とする透明部分が設けられている請求項１又は２記載の卓上型ペーパータオル用ディスペンサー。
【請求項４】
ケース本体は、ペーパータオル束の前記載置面側と反対側の折り返し縁が並ぶ面に対面する部分と、ペーパータオル束の折り返し面が並ぶ面と引出し側面とに連接する側面に対面する部分とが、透明である請求項３記載の卓上型ペーパータオル用ディスペンサー。
【請求項５】
前記取出口は、幅方向中央部に下方に向って欠損された凹部欠損部を有する請求項１〜４の何れか１項に記載の卓上型ペーパータオル用ディスペンサー。
【発明の詳細な説明】
【技術分野】
【０００１】
本発明は、ペーパータオルを折り畳み積層した束を収納し、取出口から１枚ずつ取り出すペーパータオルディスペンサーに関し、特に卓上型のペーパータオル用ディスペンサーに関する。
【背景技術】
【０００２】
キッチンペーパー、清拭用ワイプ等の所謂ペーパータオルと称されるもののディスペンサーの多くは、束を収納する本体の背面を適宜の手段により壁に対面させて設置し、底部に設けた取出口からペーパータオルを引き出して使用する形態であるが（特許文献１〜３等）、中には据え置き型、卓上型のものも知られる（特許文献４〜５等）。
【０００３】
特許文献１〜３に示されるような本体の背面を介して壁に設置するタイプのディスペンサーは、比較的大型であり設置態様も限定されることから、設置スペースや設置場所を確保することが困難な飲食店、惣菜店、スーパーマーケットの厨房や一般家庭で使用するには不向きであり、そのような処では、引用文献４、５に示す据え置き型の物が適する。
【０００４】
しかし、引用文献４のような上面に取出口を有する構造のディスペンサーは、濡れた手でペーパータオルを引き出す際に、内部の束を汚染するおそれがあり、また、上面の取出口から埃、塵が内部に進入するおそれがある。
【０００５】
他方、引用文献５に示される構造のディスペンサーは、取出口が下方に向っているため取出口から水や埃が進入することが防止されているが、図６に示すように、内部に収納されたペーパータオル１０１の枚数が特に少なくなってきた際に、ペーパータオル束１０１がディスペンサーＸ１００のケース本体１１０内において点線Ｚで示すように前板内面１１１Ａ及び載置面１１２Ａに沿って滑り落ち折れ曲がって下部に溜まり、取出口１１６から露出されるべきペーパータオルの一部までもが本体内部に落ち込み、好適な引出し操作を行なうことが困難となるおそれがある。また、本体内部に納めたペーパータオル束１０１の残量が視認できず、例えば、本体内に束が残っているにもかかわらず、新たなペーパータオル束を開封してしまうおそれがある。
【先行技術文献】
【特許文献】
【０００６】
【特許文献１】特開平０６−１４４４４８号公報
【特許文献２】特開２００６−２０４４０４号公報
【特許文献３】特開２００１−８７１６１号公報
【特許文献４】特開２００７−１５３４３９号公報
【特許文献５】特開２０１０−７６８１１号公報
【発明の概要】
【発明が解決しようとする課題】
【０００７】
そこで、本発明の主たる課題は、上記飲食店、惣菜店、スーパーマーケットにおける厨房や、家庭内等のスペースの限られる場所でも好適に使用できる卓上型のペーパータオル用ディスペンサーにおける、取り出し性やペーパータオル束のケース本体内への落ち込み等の問題、内部のペーパータオル束の視認性の問題を改善し、衛生的かつ簡易に使用できる卓上型ペーパータオル用ディスペンサーを提供することにある。
【課題を解決するための手段】
【０００８】
上記課題を解決した本発明は次記のとおりである。
＜請求項１記載の発明＞
複数の二つ折りされた方形のペーパータオルを、折り返し片の縁が隣接するペーパータオルの折り返し内面に位置するようにして互い違いに重なり合うように積層した、略直六面体形状のペーパータオル束を内部に収納するケース本体と、このケース本体に設けられたペーパータオルを一枚ずつ引き出すための取出口と、前記ケース本体を卓上型とする台座部とを有する卓上型ペーパータオル用ディスペンサーにおいて、
ケース本体の前面部分を構成する前板部に取出口を形成し、その前板部を前傾に傾斜させ、かつ、ケース本体内部のペーパータオル束の折り返し縁が並ぶ面が載置される載置面を背面側から前面側に向って下り傾斜させて、前記前板部の内面にペーパータオルの引出し側面が当接するようにするとともに、
載置面に対して自由であり、前記載置面に載置されたペーパータオル束の背面側面に凭れて自重により前記背面側面を押さえ、かつ取出口からのペーパータオルの引出しに伴うペーパータオル束の厚みの低下に伴って、前記載置面の傾斜と自重とにより、前記背面側面に対する押接状態を維持しつつ前板部側に載置面上を移動して、前記ペーパータオル束の引出し側面の前板部内面への当接状態を維持させる押え板を設け、
前記ケース本体が、前記載置面に平行な天面を有し、そのケース本体の前記ペーパータオル束の引出し側面が当接する前板部内面と、前記載置面の少なくとも前記前板部側と、前記天面の前板部側に滑り止め部が配されている、ことを特徴とする卓上型ペーパータオルディスペンサー。
【０００９】
【００１０】
【００１１】
＜請求項２記載の発明＞
載置面に配された滑り止め部は、前板部側から背面側に１５ｍｍ以上配されている、請求項１記載の卓上型ペーパータオル用ディスペンサー。
【００１２】
＜請求項３記載の発明＞
前記ケース本体の少なくとも一部にケース本体内部を外部から視認可能とする透明部分が設けられている請求項１又は２記載の卓上型ペーパータオル用ディスペンサー。
【００１３】
【００１４】
＜請求項４記載の発明＞
ケース本体は、ペーパータオル束の前記載置面側と反対側の折り返し縁が並ぶ面に対面する部分と、ペーパータオル束の折り返し面が並ぶ面と引出し側面とに連接する側面に対面する部分とが、透明である請求項３記載の卓上型ペーパータオル用ディスペンサー。
【００１５】
＜請求項５記載の発明＞
前記取出口は、幅方向中央部に下方に向って欠損された凹部欠損部を有する請求項１〜４の何れか１項に記載の卓上型ペーパータオル用ディスペンサー。
【００１６】
（作用効果）
本発明では、ケース本体を台座部によって支持する卓上型としたので設置態様、設置位置の制限がない。また、取出口を有するケース本体及び台座部の比較的簡易な構造とすることができ、省スペース化が可能である。また、本発明では、ケース本体の前面を構成する前板部を前傾として、そこに取出口を設けたため、取出口が手前側斜め下方に向って開口することになり、もって取出口から埃や塵が入り難い。また、本発明では、取出口が手前側斜め下方に向いているため、そこから露出されたペーパータオルの一部が、下方に垂れ下がる態様となる。したがって、手でペーパータオルを引き出す操作を行なう際には、取出口より下方からペーパータオルを掴むことになるため、濡れたり汚れたりした手でペーパータオルを引き出す操作を行なっても、手に付着した水や汚れが落下して取出口からケース本体に進入することがなく、ケース本体内のペーパータオル束を水や汚れで汚染することがなく、衛生的に使用できる。
【００１７】
さらに、本発明では、ケース本体内部のペーパータオル束の折り返し縁が並ぶ面が載置される載置面を背面側から前面側に向って下り傾斜させて、ペーパータオル束の引出し側面が前記前板部の内面に当接するようにしたので、取出口からペーパータオルを引き出す際に、ペーパータオル束が前記傾斜面に沿って前板部側に引き寄せられやすく、ケース本体の背面側に位置するペーパータオル束末部のペーパータオルまで良好に引出し操作が行える。
【００１８】
ここで、上記載置面及び前板部の構成を採る場合には、ペーパータオルの使用が進むにしたがって、ケース本体内部に収納されているペーパータオル束の厚み（前後方向）が少なくなってくると、載置面に対するペーパータオル束の自立が困難となり、ケース本体内で束が折れ曲がり載置面側に落ち込む可能性があるが、本発明では、前記載置面に載置されたペーパータオル束の背面側面に押え板を設け、これを取出口からのペーパータオルの引出しに伴うペーパータオル束の厚みの低下に伴って前記背面側面に対する押接状態を維持しつつ前板部側に移動させるようにしたので、上記束の折れ曲がりに起因する載置面側への束の落ち込みがない。この点、より詳細に説明すると、ペーパータオル束のケース本体内への落ち込みは、より具体的には、ペーパータオル束の厚みが少なくなると束の載置面と接触部分の摩擦抵抗が小さくなり、その際に束自身の自重の作用やその他のきっかけによって、ペーパータオル束の載置面との接触部分が背面側にずれはじめ、ペーパータオル束の前板部内面との当接部分が、当該前板部内面を伝って滑り落ちるようにして、折れ曲がり落ち込みが生ずる。よって、本発明のように押え板が設けられている場合には、まず載置面との接触部分が背面側にずれはじめることがなく、また束の引出し側面が前板部内面に押し当てられるので滑り落ちることもない。よって、ケース本体内への束の落ち込みが防止されるのである。
【００１９】
他方、本発明において、ペーパータオル束の引出し側面が当接する前板部内面に滑り止め材を配すると、ペーパータオル束の引出し側面と当接面との摩擦抵抗が増加し、束の前板部内面との当接部分が、当該前板部内面を伝って滑り落ちることをより効果的に防止させ、ケース本体内への束の落ち込みがより確実に防止される。また、ペーパータオル束の厚みが少なくなってきた場合には、ペーパータオルが一枚ずつではなく複数枚一度に取出口から引き出されることがあるが、滑り止め部を配することにより、かかる問題も副次的に防止される。
【００２０】
また、前記載置面の少なくとも前板部側にも滑り止め材を配すれば、ペーパータオル束の載置面との接触部分が背面側にずれることがより確実に防止され、より一層ケース本体内への束の落ち込みが防止される。なお、載置面に滑り止め部を配する場合には、前板部側から背面側に１５ｍｍ以上配するのが望ましい。概ねペーパータオル束の厚さが１５ｍ未満となると、束の形状上、滑りが発生しやすくなるため、１５ｍｍ以上配することで確実な落ち込みの防止が図られる。
【００２１】
また、前記ケース本体に載置面に平行な天面を設け、その天面の前板部側にも滑り止め材を配すれば、より一層の束の落ち込みが防止される。
【００２２】
他方、本発明においてはケース本体の少なくとも一部にケース本体内を外部から視認可能とする透明部分を設けることにより、ケース本体内部のペーパータオル束の残量を目視にて確認でき、もってペーパータオルの補充時期を適切に知ることができる。
【００２３】
また、本発明では、上記のとおり引出し時或いはそれに伴うペーパータオル束の厚みの減少に伴う、ペーパータオル束の載置面側への落ち込みが効果的に防止されてはいるが、本発明のディスペンサーは卓上型であるから、持ち運びが可能であり、その際に傾斜面の角度が設置時の角度と意図せず変化して偶発的にペーパータオルがケース本体内に倒れ込むおそれがある。上記のとおりケース本体内の一部を透明として視認可能としておけば、このような偶発的なペーパータオル束の落ち込みも視認でき、適切にペーパータオル束の位置を修正できる。
【００２４】
かかる透明部分は、ペーパータオル束の前記載置面側と反対側の折り返し縁が並ぶ面に対面する部分と、ペーパータオル束の折り返し面が並ぶ面と引出し側面とに連接する側面に対面する部分とすれば、内部の束の状況・形状を確実に判断できる。
【００２５】
また、取出口について、その幅方向中央部に下方に向って欠損された凹部欠損部を設けると、ケース本体内に収納されているペーパータオルの引出し側面に位置するペーパータオルの折り返し片を摘みやすくなる。
【発明の効果】
【００２６】
以上の本発明によれば、省スペースとすることができ、上記飲食店、惣菜店、スーパーマーケットにおける厨房や、家庭内等のスペースの限られる場所でも好適に使用でき、取出口からの取り出し性に優れ、ペーパータオル束のケース本体内への落ち込み等の問題もなく、かつ衛生的かつ簡易に使用でき、しかも内部のペーパータオル束の視認性にも優れるペーパータオル用ディスペンサーが提供される。
【図面の簡単な説明】
【００２７】
【図１】本発明に係る卓上型ペーパータオル用ディスペンサーの斜視図である。
【図２】本発明に係る卓上型ペーパータオル用ディスペンサーの正面図である。
【図３】図２のＡ−Ａ断面図である。
【図４】本発明に係る卓上型ペーパータオル用ディスペンサーの台座部の例を示す斜視図である。
【図５】本発明に係る卓上型ペーパータオル用ディスペンサーの他の例を示す図である。
【図６】従来のディスペンサーを示す断面図である。
【発明を実施するための形態】
【００２８】
次いで、本発明の実施の形態を図１〜５を参照しながら以下に詳述する。
本発明にかかるディスペンサーは、ペーパータオル束１を収納するケース本体１０を台座部２０により所定高さに支持し、キッチン台、洗面台、手洗い場台、作業台、床などに載置して使用する据え置き型、卓上型のペーパータオル用ディスペンサーＸ１である。
【００２９】
本発明の卓上型ペーパータオル用ディスペンサーＸ１（以下、単にディスペンサーＸ１ともいう）が対象とするペーパータオル束１は、坪量２０〜６０ｇ／ｍ2程度の複数の方形のペーパータオルを実質的に二つ折りにし、各折り返し片の縁を上下に隣接するペーパータオルの折り返し内面に位置するようにして互い違いに重なり合うように積層し、積層最上部又は積層最下部の一枚の折り返し片を引っ張ると、ペーパータオルが有する紙特有の摩擦等によって、隣接するペーパータオルの折り返し片がつられて引きだされるようにしたものである。このペーパータオル束１はインターフォルダと称される折り機によって一般的に製造され、積層に伴う若干のずれはあるものの概ね直方体形状をなす。なお、本発明においては、上記ペーパータオルが引き出されていくことになるペーパータオル束１（以下、単に束ともいう）の積層最上面或いは積層最下面の何れかの面を引出し側面１Ａと称する。
【００３０】
図示例のディスペンサーＸ１は、ケース本体１０が、前板部１１、底板部１２、背板部１３、側板部１４及び天板部１５とで構成され、束１の大きさよりもやや大きい直方体の内部空間１０Ａを有し、外観も概ね直六面体形状の箱形形状をなす。なお、本発明のディスペンサーＸ１は、図示例の外観に限定されず適宜の意匠とすることができる。但し、省スペース化の点で、上記のケース本体１０の構成が望ましく、以下、上述の各板部で構成される内部空間が直方体形状、外観が概ね直六面体形状とされているケース本体１０を基本に説明する。
【００３１】
本形態のディスペンサーＸ１は、上記構成のケース本体１０が、その前面を構成する前板部１１が前方に向って傾斜するようにして所定高さで台座部２０に固定され、それに応じて底板部１２が背板部側から前板部側に向って下り傾斜され、もって、前記底板部内面１２Ａがケース本体内部に背面側から前面側に向って下り傾斜する束１の載置面１２Ａとされ、前板部内面が束１の引出し側面全体が当接する面とされている。ケース本体が所定高さで台座部に固定されているために、ペーパータオルを斜め下に引き出す空間を確保することができ、引き出しやすく、かつ、ディスペンサーは引き出しの抵抗力によって倒されることもない。
【００３２】
前記前板部１１は、幅Ｌ１が２１０〜２５０ｍｍ程度、高さ方向の長さＬ２が７０〜９０ｍｍ程度であり、高さ方向の中央部に幅方向に延在する細長状に開口するペーパータオルの取出口１６が設けられている。
【００３３】
本形態のディスペンサーＸ１は、上記底面内面である載置面１２Ａに、束１の折り返し縁が並ぶ面１Ａを載置し、その傾斜を利用して束１の引出し側面１Ａが前板部内面１１Ａに凭れるようにして当接させ、引出し側面１Ａから前記取出口１６を介してペーパータオルの一部をケース本体外へ露出させる。
【００３４】
ペーパータオルの取り出しは、前記取出口１６から露出する前記ペーパータオルの一部を摘み、下方、前方又は前板部１１に対して直行する方向に引き出す操作により行なう。
【００３５】
なお、本発明における「傾斜」、「角度」は、台座部２０を介して水平面上にディスペンサーＸ１を載置したときを基準としている。
【００３６】
ここで前記前板部１１の好適な傾斜具合は、台座部２０を介してディスペンサーＸ１を水平面上に載置したときに、前記前板部１１の傾斜角∠Ａが水平面に対して６０〜８０度となるように構成するのがよい。また、前記載置面１２Ａの傾斜角∠Ｂは、２５〜４５度であるのがよい。前板部１１の傾斜角∠Ａが６０度未満となるとペーパータオルを掴み難く作業台などの載置面に手がつきやすくなり、効果的にペーパータオルを引出し難くなり、８０度を超えてくると束１の引出し側面１Ａが前板部内面に凭れ難くなる。また、載置面１２Ａの傾斜角∠Ｂが２０度未満であると取出口１６からのペーパータオルの引出しに伴う束１の載置面１２Ａに沿った前板部側へ移動がし難くなり、ペーパータオルのスムーズな引出しが阻害されるおそれがある。また、背面側で束１の厚みが減少し、前板部内面１２Ａに凭れずにケース本体内部で束１が前倒しになってしまうおそれがある。
【００３７】
他方、前記載置面１２Ａから取出口１６の下縁１６Ａまでの距離は４０〜５０ｍｍとするのがよい。載置面１２Ａに束１を載置した際に取出口近傍に束１を構成するペーパータオルの折り返し片を位置させやすくなる。
【００３８】
また、図示例では、取出口１６の上側縁及び下側縁に、前記前板部１１の内面から連続的に滑らかな円弧面１７Ｒ或いは曲面を介して前方（外方）に延出する延出部１７が設けられおり、前記円弧面１７Ｒ等に沿ってペーパータオルがよりスムーズに引き出されるようになっている。この延出部１７は、前板部外面から１０ｍｍ程度、延出させるのが望ましい。
【００３９】
さらに、図示例では、好ましく、取出口１６の幅方向中央に下方に向って矩形に欠損された凹部欠損部１８が形成されており、ペーパータオルの露出部分の中央部を摘みやすくしている。なお、凹部欠損部１８の形状は、この矩形に限らず、例えば半円、半楕円等としてもよい。
【００４０】
他方、図示のケース本体１０の背板部１３は、前記前板部１１との間にペーパータオルの束１が介在可能な適宜の間隔を空けて位置され、その間隔は、市販の束１の厚さ（高さ）を考慮すれば８０〜１５０ｍｍ程度である。なお、図示例では、ケース本体１０が直六面体形状であるため背板部１３は前板部１１と平行、すなわち傾斜しているが、背板部１３は、必ずしも傾斜している必要はなく、例えば、背板部１３が、垂直又は前板部１１よりも垂直に近い傾斜としてもよい。また、図示例のディスペンサーＸ１では、背板部１３は底板部１２に対してヒンジ部１９を介してヒンジ接続されており、背板部１３が開閉自在な蓋体とされ、前記背板部１３を開くことでケース本体内へ束１を納めるようにしている。但し、背板部１３ではなく、天板部１５、側板部１４を開閉自在な蓋部とするようにしてもよい。ヒンジ部１９は、蝶番等の既知の技術により達成すればよく、本発明において特に限定されない。
【００４１】
他方、ケース本体１０の天板部１５は、前記底板部１２との間にペーパータオルの束１が介在可能な適宜の間隔を空けて位置される。図示例では、好ましく、天板部内面１５Ａと載置面１２Ａとが平行をなし、それらの間が束１の折り返し縁１Ｂ，１Ｃ間の長さとほぼ同等の間隔となっており、載置面１２Ａと天板部内面１５Ａとの間における束１の移動を規制するように構成している。かかる載置面１２Ａと天板部内面１５Ａとの関係とすることで、束１の上下方向の自由な移動が規制され、ケース本体内で束１が崩れたり、意図せず倒れたりし難くなる。
【００４２】
他方、側板部１４は、前板部１１と背板部１２の側部間に介在し、所定の間隔で配置されてケース本体内部に収めた束１の幅方向への移動を規制して、取出口１６からのスムーズなペーパータオルの取り出しに寄与するとともに、汚液・埃・塵などの汚れから束１００を保護する。
【００４３】
図示の形態においては、直六面体形状としているため側板部１４は、前板部１１及び背板部１３の側縁から一体的に配置されているがこの例に限定されない。束１を収納可能な内部空間１０Ａを確保できる範囲で、意匠等を考慮して適宜に構成することができる。
【００４４】
他方、本形態のディスペンサーＸ１では、特徴的に束１の引出し側面１と反対面のペーパータオル束背面側面１Ｄに凭れて、上記背面側面１Ｄを押しつつ前板部側に移動する押え板３０が設けられている。図示例の押え板３０は、束１の背面側面１Ｄとほぼおなじ大きさの直方体形状の板であり、載置面１２Ａに対して自由な状態で立設され、束１の背面側面１Ｄに凭れて自身の自重により束１の背面側面Ｄを押さえ、取出口１６からのペーパータオルの取出しに伴う束１の厚みの減少に応じて、前記載置面１２Ａの傾斜と自身の自重とによって、前記背面側面１Ｄに対する押接状態を維持しつつ前板部側に移動するようになっている。ここで、前記押え板３０の前板部側へのスムーズな移動が行なわれるように、押え板３０の載置面側縁３０Ａを平滑処理したり、滑剤を塗布するなどしてもよい。また、図示はしないが押え板の側板部対向縁に小突起を設けるとともに、側板部に前記載置面に対して平行に延在し上記小突起が嵌るガイド溝を設け、ケース本体内で押え板が意図せず傾倒することを防止するようにしてもよい。なお、押え板３０の形状は、直方体形状に限らず、ケース本体内部を移動可能な範囲で適宜の形状とすることができる。また、押え板３０の重量は、特に限定されないが、軽すぎると押え板としての効果が小さく、重すぎると束１の引出し側面１Ａと前板部内面１１Ａとの接触圧が高くなりすぎて、ペーパータオルの引出しが困難となる。好適な重量としては、４０〜８０ｇである。
【００４５】
他方、本形態のディスペンサーＸ１では、前板部１１の内面１１Ａに滑り止め部４０が設けられている。図示例では、取出口１６に沿って幅方向に延在するようにして設けられている。この滑り止め部４０は、前板部内面１１Ａと束１の引出し側面１Ａとの摩擦抵抗を増加させるようにした部分であり、かかる効果を奏するものであれば、その構成は限定されない。図示例では、スリップ効果のある薄いゴム材を貼付しているが、前板部内面１１Ａの粗面化処理、或いは粗面化処理材の塗布等により配することもできる。
【００４６】
他方、本形態では、好ましくこの滑り止め部４０を、底板部内面１２Ａの前板部側、すなわち載置面１２Ａの前板部側にも設けている。図示例では、幅方向に沿って延在するように設けているが、必ずしもこのように設ける必要はない。載置面１２Ａに束を載置した際に束１が接触する部分に設けられていればよい。但し、底板部内面（載置面）１２Ａにおける滑り止め部４０Ａは、前板部１１から連続して１５ｍｍの範囲内に設けるのが望ましい（図中符号Ｌ３で示す）。ペーパータオルが適宜枚数引き出され厚さが薄くなった束１は前板部近傍に位置することになるとともに、そのような厚さの薄くなった束１が特にケース本体内へ落ち込みやすくなるため、当該部位に滑り止め部４０Ａを配置すると、押え板の効果と相まって束１のケース本体内への落ち込みが効果的に防止される。
【００４７】
さらに、本形態ではより好ましく天板部内面１５Ａの前板部側にも滑り止め部４０Ｂを設けている。図示例では、載置面１２Ａと同様に幅方向に沿って延在するように設けているが、必ずしもこのように設ける必要はない。
【００４８】
ここで、ケース本体１０の素材については、特に限定されないが、アクリル樹脂、ユリア樹脂、ＡＢＳ樹脂、ポリプロピレン樹脂等の合成樹脂素材、ステンレス材やアルミ材等の金属素材、段ボール紙やコートボール紙等の紙素材、木材等適宜の素材を選択することができる。特に好ましくは、耐水性、成型性に優れる合成樹脂素材である。
【００４９】
他方、図示例のディスペンサーＸ１では、前板部１１、底板部１２、側板部１４、天板部１５を透明な硬質ポリプロピレン樹脂により一体成型し、ケース本体１０の一部を透明として視認可能としている。このように、ケース本体１０の一部を透明にすると、ケース本体内における束１の状況が理解でき、束１の適切な補充時期を確認することができる。特に、束１の前記載置面側と反対側の折り返し縁が並ぶ面に対面する部分（本形態では天板部１５）と、束１の折り返し縁が並ぶ面１Ｂ，１Ｃと引出し側面１Ａとに連接する側面に対面する部分（本形態では側板部１４，１４）を透明にすると、ケース本体内１０における束１の状況が理解しやすく望ましい。但し、透明部分は図示例に限定されず、その他、側板部１４や天板部１５に前板部側から背板部側に向って延在するスリット状の透明な窓部を設けたり、各板部に円形、矩形或いは適宜の幾何学的模様は適宜デザインの透明な窓部を設けたりした態様としてもよい。視認性に加え意匠性などをも考慮して適宜の構成をとることができる。
【００５０】
他方、本形態のディスペンサーＸ１を構成する台座部２０は、ケース本体１０を特に前板部１１の傾斜を維持した状態で所定高さに支持するとともに作業台等の任意の面に載置可能にするためのものである。その形状は、特に限定はされない。但し、本ディスペンサーＸ１では、露出するペーパータオルの一部を取出口１６の下方から掴む操作態様となるため、上記取出口１６の高さＬ４が台座部２０に設置した状態で９０〜１２０ｍｍの高さとなるようにケース本体１０を支持する形状とするのが望ましい。９０〜１２０ｍｍの高さがあれば、取出口の下方に手を挿入するだけの十分な空間が確保できる。
【００５１】
図示例の台座部２０は、下縁を設置部として平行に配置した二枚の台座側板２１，２１と、台座側板間を繋ぐ背面板２２と、ケース本体１０の底板部１２が載置される支持板２３とで構成し、ペーパータオルの引出しをしやすくすべくケース本体１０の前方側下部領域が広く開放されるように底面視、略コ字状に形成されている。この台座部２０に対してケース本体１０が底板部１２を介してその支持板２３上に載置されるとともに、前記台座側板間に挟持される形で固定される。なお、ケース本体１０を台座部２０に固定するには、接着剤や既知の係止構造など適宜固定手段を採ることができる。
【００５２】
他方、台座部２０は、ディスペンサー全体の重心を低い位置にし、設置箇所に置いた際の安定性を高めるべく、ケース本体よりも質量を重くするのが望ましい。
【００５３】
なお、台座部２０の素材は特に限定されないが、上記のとおり台座部２０はある程度の重量があるのが望ましいことから、金属素材等とするまたは錘となる金属を設置するのが望ましい。なお、台座部２０の下面には、例えば、ゴム素材、磁石などからなる適宜の滑り止め機構や固定機構を設けてもよい。
【００５４】
（その他の形態）
上記説明のディスペンサーＸ１の形態では、背板部１２とは別途に押え板３０を設けた形態であるが、図５に示すように、背板部を設けずに押え板３０を背板部兼蓋体としてもよい。
【符号の説明】
【００５５】
Ｘ１…卓上型ロールペーパータオル用ディスペンサー、１…ペーパータオル束、１Ａ…ペーパータオル束の引出し側面、１Ｂ…折り返し縁が並ぶ面であって載置面に接する側の面、１Ｃ…折り返し縁が並ぶ面であって載置面に接しない側の面、１Ｄ…ペーパータオル束の引出し側面と反対面である背面側面、１０…ケース本体、１０Ａ…ケース本体の内部空間、１１…前板部、１１Ａ…前板部内面（束の引出し側面が当接する面）、１２…底板部、１２Ａ…底板部内面（載置面）、１３…背板部、１４…側板部、１５…天板部、１５Ａ…天板部内面、１６…取出口、１６Ａ…取出口の下縁、１７…延出部、１７Ｒ…延出部の円弧面、１８…凹部欠損部、１９…ヒンジ部、２０…台座部、２１…台座側板、２２…背面板、２３…支持板、３０…押え板、３０Ａ…押え板の載置面側縁、４０…滑り止め部、Ｌ１…前板部の幅、Ｌ２…前板部の高さ方向長さ、Ｌ３…滑り止め部の範囲、Ｌ４…取出口の高さ、∠Ａ…前板部の傾斜角、∠Ｂ…載置面の傾斜角。
【図１】
0005964022.tif 000002
【図２】
0005964022.tif 000003
【図３】
0005964022.tif 000004
【図４】
0005964022.tif 000005
【図５】
0005964022.tif 000006
【図６】
0005964022.tif 000007